(57)【要約】【課題】壁に掛けたテレビの周辺機器をテレビと壁の間に設置して省スペースと美観の向上をともに実現する。【解決手段】テレビ２の背面には、主フレーム４と、係止フレーム１２と、取付ボルト１３と、補強スリーブ１４によって取付部が構成されており、壁に固定した係止具２０に係止フレームの係止部１６を掛け、テレビを壁に隙間をおいて取り付ける。取付部に固定された第１設置部材６にはビデオプレーヤ２５が設置され、補助設置部材１１にはハードディスク３０が設置される。ビデオプレーヤ等はテレビと壁の間の隙間に隠されるので、テレビを壁掛けタイプにしたことによる省スペース効果と美観向上効果を確実に達成できる。【選択図】図１０
2016162763.tif 000002
【特許請求の範囲】
【請求項１】
電子装置を壁に取りつける電子装置の壁掛け装置であって、
電子装置の背面に取りつけられ、壁に設けられた係止具に係止されることによって電子装置と壁の間に所定寸法の隙間が生じるように電子装置を壁に取りつける取付部と、
電子装置の背面又は前記取付部に取りつけられ、前記隙間に第１機器を設置するための第１設置部材と、
を備えたことを特徴とする電子装置の壁掛け装置。
【請求項２】
制御信号を受信して第１機器に伝達する信号伝達手段を有することを特徴とする請求項１に記載の電子装置の壁掛け装置。
【請求項３】
第１機器は制御信号を受信する第１受信部を有しており、
前記信号伝達手段は、制御信号を受信しうる位置に設けられた第２受信部と、前記第１受信部に近接して配置された送信部と、前記第２受信部と前記送信部を接続する制御信号の信号線を有することを特徴とする請求項２に記載の電子装置の壁掛け装置。
【請求項４】
電子装置の背面と前記取付部と前記第１設置部材の少なくとも一部に取りつけられ、電子装置の下方の位置に第２機器を設置する第２設置部材をさらに有することを特徴とする請求項１から３のいずれか一つに記載の電子装置の壁掛け装置。
【請求項５】
前記第１機器は、
前記第１設置部材に設置される本体と、
情報が書き込ま＋た光ディスクを設置するために前記本体に出入自在に設けられたトレイと、
前記本体の内部に設けられ、前記本体に収納されている前記トレイに設置された前記光ディスクを回転させて情報を読み取るディスクドライブと、
を有し、
前記電子装置に接続されて前記光ディスクの情報を前記電子装置に供給する光ディスク読み取り装置であって、
前記光ディスク読み取り装置は、前記トレイに設置された前記光ディスクが鉛直方向に実質的に平行となるように前記第１設置部材に設置され、
前記トレイには、前記トレイに設置された前記光ディスクが前記トレイを前記本体の外に引き出した際に落下するのを防止するディスク係止部が設けられていることを特徴とする請求項１から４のいずれか一つに記載の電子装置の壁掛け装置。
【発明の詳細な説明】
【技術分野】
【０００１】
本発明は、電子装置、例えばテレビのような表示装置等を壁体に取りつけるための壁掛け装置に係り、特に電子装置を制御するための機器を電子装置と壁体の間に設置することができる壁掛け装置に関するものである。
【背景技術】
【０００２】
本願出願人は、下記特許文献１及び２において、石膏ボード等のような取り付け強度の低い壁体を補強し、重量物を取りつけられるようにする下地材の発明を提案した。この下地材で補強した壁体には、例えばテレビのような重量物でも安全に取りつけることができる。ところで、このような補強用の下地材を使用した場合に限ったことではないが、一般に壁体にテレビを取りつけた場合には、テレビを床上に設置する場合に用いられるテレビボード等の家具が不要になるため、部屋のスペースを有効に使用することができる効果が得られ、さらに見栄えも向上するという効果も期待できる。
【先行技術文献】
【特許文献】
【０００３】
【特許文献１】特開２０１０−１８５２５４号公報
【特許文献１】特開２０１３−２１７０７５号公報
【発明の概要】
【発明が解決しようとする課題】
【０００４】
しかしながら、テレビを壁掛けタイプにして省スペースを実現したとしても、テレビとともに使用するＤＶＤプレーヤー等の機器類は、テレビの近傍の床上に設置する必要がある。このため、壁に掛けたテレビの下方の床上にテレビボード等の家具を設置し、これにＤＶＤプレーヤー等の機器類を収納することになる。従って、結局は床上にテレビを設置した場合に比べても、テレビ周りの有効なスペースをさほど拡大したことにはならず、美観を向上させる効果もあまり高くないという問題があった。さらに、テレビの周辺機器であるＤＶＤプレーヤーは、一般的に偏平な箱型の外形であり、薄い高さ方向を鉛直方向に一致させ、広い平面上の上面及び底面を水平にした平置きの姿勢で設置するのが通常であるため、壁掛けテレビの省スペース効果をさらに低減させることになっていた。
【０００５】
本発明は、上述した従来の壁掛けテレビのような電子装置の壁掛け装置における課題に鑑みてなされたものであり、壁に掛けた電子装置の周辺機器等を電子装置と壁の間に配置して省スペースと美観の向上をともに実現することを目的としている。
【課題を解決するための手段】
【０００６】
請求項１に記載された電子装置の壁掛け装置は、
電子装置を壁に取りつける電子装置の壁掛け装置であって、
電子装置の背面に取りつけられ、壁に設けられた係止具に係止されることによって電子装置と壁の間に所定寸法の隙間が生じるように電子装置を壁に取りつける取付部と、
電子装置の背面又は前記取付部に取りつけられ、前記隙間に第１機器を設置するための第１設置部材と、
を備えたことを特徴としている。
【０００７】
請求項２に記載された電子装置の壁掛け装置は、請求項１に記載の電子装置の壁掛け装置において、
制御信号を受信して第１機器に伝達する信号伝達手段を有することを特徴としている。
【０００８】
請求項３に記載された電子装置の壁掛け装置は、請求項２に記載の電子装置の壁掛け装置において、
第１機器は制御信号を受信する第１受信部を有しており、
前記信号伝達手段は、制御信号を受信しうる位置に設けられた第２受信部と、前記第１受信部に近接して配置された送信部と、前記第２受信部と前記送信部を接続する制御信号の伝達線を有することを特徴としている。
【０００９】
請求項４に記載された電子装置の壁掛け装置は、請求項１から３のいずれか一つに記載の電子装置の壁掛け装置において、
電子装置の背面と前記取付部と前記第１設置部材の少なくとも一部に取りつけられ、電子装置の下方の位置に第２機器を設置する第２設置部材ををさらに有することを特徴としている。
【００１０】
請求項５に記載された電子装置の壁掛け装置は、請求項１から４のいずれか一つに記載の電子装置の壁掛け装置において、
前記第１機器は、
前記第１設置部材に設置される本体と、
情報が書き込まれた光ディスクを設置するために前記本体に出入自在に設けられたトレイと、
前記本体の内部に設けられ、前記本体に収納されている前記トレイに設置された前記光ディスクを回転させて情報を読み取るディスクドライブと、
を有し、
前記電子装置に接続されて前記光ディスクの情報を前記電子装置に供給する光ディスク読み取り装置であって、
前記光ディスク読み取り装置は、前記トレイに設置された前記光ディスクが鉛直方向に実質的に平行となるように前記第１設置部材に設置され、
前記トレイには、前記トレイに設置された前記光ディスクが前記トレイを前記本体の外に引き出した際に落下するのを防止するディスク係止部が設けられていることを特徴としている。
【発明の効果】
【００１１】
請求項１に記載された電子装置の壁掛け装置によれば、電子装置の背面にある取付部を壁の係止具に係止させることにより、電子装置と壁の間に所定寸法の隙間が生じるように電子装置を壁に取りつけることができる。そして、第１設置部材に第１機器を設置すれば、この第１機器は、電子装置と壁の間の隙間に隠されて設置される。このため、電子装置を壁掛けタイプにしたことによる省スペース効果と美観向上効果を確実に得ることができる。
【００１２】
また、床上に収納家具等を設置し、その上に電子機器を設置するとともに、その内部に第１機器を収納し、両者を配線で接続する構成とした場合には、電子装置と第１機器を接続する配線は、収納家具の背面に設けた配線孔を通して取り回す必要が生じるため非常に煩雑になり、また配線は電子機器と収納家具の背面側との間に露出してしまうため、見栄えも良くない。しかし、本発明によれば、壁に取り付けた電子機器と壁との間に第１機器が配置されるため、両者を結ぶ配線は両者を直接接続するように配すればよく、取り回しは容易である。また、配線はすべて電子機器の背面と壁の間に納まるので見栄えもよい。
【００１３】
請求項２に記載された電子装置の壁掛け装置によれば、第１機器はテレビの裏側に隠れているが、ユーザーがリモコン等から送る制御信号は、信号伝達手段が受信して第１機器に伝達されるので、第１機器及びこれに接続された電子装置の制御に支障が生じることはない。
【００１４】
請求項３に記載された電子装置の壁掛け装置によれば、ユーザーがリモコン等から制御信号を送ると、この制御信号は、第２受信部によって受信され、伝達線を経て送信部から送信され、第１機器の第１受信部に受信されて第１機器及び電子装置の制御に供される。
【００１５】
請求項４に記載された電子装置の壁掛け装置によれば、電子装置の下方の位置に、第２設置部材によって第２機器を設置することができる。
【００１６】
請求項５に記載された電子装置の壁掛け装置によれば、本体に出入自在に設けられたトレイに光ディスクを設置して情報を読み取る第１機器としての光ディスク読み取り装置を、電子装置に接続して使用する。そして、このような光ディスク読み取り装置を、光ディスクが鉛直方向に実質的に平行となるような状態（これを縦置きと称する）で第１設置部材に設置する。しかし、トレイにはディスク係止部が設けられているため、トレイを本体から引き出しても、光ディスクはディスク係止部に係止してトレイに保持され、落下することはない。
【００１７】
トレイ上の光ディスクが水平面と平行な状態（これを平置きと称する）となるように設置して使用する市販の光ディスク読み取り装置のトレイには、このようなディスク係止部がない。このため、これを本発明のように電子装置の背面側に縦置きで設置すると、何らの手段も講じない場合には、トレイを引き出した場合に光ディスクがトレイから落下してしまう場合がある。しかし、本発明によれば、このディスク係止部を後付けでトレイに設けることにより、縦置きとした市販の光ディスク読み取り装置からトレイを引き出した場合にも、光ディスクがトレイから落下してしまう不都合を防止することができる。
【図面の簡単な説明】
【００１８】
【図１】本発明の実施形態に係る壁掛け装置の部品を示す図である。
【図２】電子装置であるテレビの背面図である。
【図３】テレビの背面に壁掛け装置の一部を取りつけた状態を示す背面図である。
【図４】テレビの背面に所定のピッチで設けられた取付孔に壁掛け装置を取りつけた状態を示す背面図である。
【図５】テレビの背面に取りつけた壁掛け装置の部分断面図である。
【図６】テレビの背面に壁掛け装置を取りつけた状態を示す斜視図である。
【図７】図４の例とは異なるピッチで取付孔が設けられたテレビの背面に壁掛け装置を取りつけた状態を示す背面図である。
【図８】壁に取りつけられた係止具の正面図である。
【図９】壁掛け装置でテレビを壁に取り付けた状態を示す側面図である。
【図１０】壁掛け装置でテレビを壁に取り付けるとともにテレビと壁の隙間にビデオプレーヤを設置し、リモコンからの制御信号をビデオプレーヤに中継する信号伝達手段をテレビ等に設けた状態を示す側面図である。
【図１１】テレビ及びビデオプレーヤ等を壁掛け装置で壁に取り付けた状態を示す斜視図である。
【図１２】リモコンからの制御信号をビデオプレーヤに中継する信号伝達手段の回路図である。
【図１３】壁掛け装置の第１設置部材に設置されたビデオプレーヤにおいて、本体から引き出されたトレイ及びトレイに設置された光ディスクの正面図である。
【図１４】壁掛け装置の第１設置部材に設置されたビデオプレーヤの内部において、トレイ及びトレイに設置された光ディスクを、図１３に示す光ディスクに垂直なＡ−Ａ切断線における断面図であり、想像線は保持位置に移動したディスクドライブの一部と、ディスクドライブで保持された光ディスクを示す想像図である。
【図１５】本発明の実施形態に係る壁掛け装置で用いられる第２設置部材を示す斜視図である。
【図１６】テレビの背面に第２設置部材を含む壁掛け装置を取りつけた状態を示す背面図である。
【図１７】壁掛け装置でテレビを壁に取り付けるとともにテレビと壁の隙間にビデオプレーヤを設置し、リモコンからの制御信号をビデオプレーヤに中継する信号伝達手段をテレビ等に設け、第２設置部材にスピーカを設置した状態を示す側面図である。
【図１８】テレビ、ビデオプレーヤ及びスピーカ等を壁掛け装置で壁に取り付けた状態を示す斜視図である。
【発明を実施するための形態】
【００１９】
以下、本発明の実施形態を図１〜図１８を参照して説明する。
本実施形態の壁掛け装置は、電子装置の一例である薄型のテレビを、壁に対して所定寸法の隙間をおいて取り付けるとともに、この隙間にテレビの周辺機器であるビデオプレーヤを設置する機能を備えた装置である。なお、実施形態のビデオプレーヤとは、ＤＶＤプレーヤーのような再生機能を有する光ディスク読み取り装置やハードディスクドライブを意味し、録画機能を備えていてもよい。
【００２０】
まず、この壁掛け装置の構成について説明する。
壁掛け装置１は、図１等に示すように複数種類の部品から構成されている。また、図２に示すように、テレビ２の背面には、取り付け用のねじ孔３が設けられている。この壁掛け装置１は、複数の部品を図３及び図４に示すような態様でテレビ２の背面に取り付けて構成したものである。
【００２１】
図１（ａ）は、取付部を構成する部品である一対の主フレーム４，４を示す。主フレーム４は、図２に示すようなテレビ２の背面に設けられたねじ孔３に対し、図３及び図４に示すように、上下方向に所定間隔をおいて互いに水平に固定される棒板状の部材であり、所定間隔（例えば１００ｍｍ間隔）でボルト孔５が形成されている。
【００２２】
図１（ｂ１）及び（ｂ２）は、主フレーム４に固定される部品である第１設置部材６である。第１設置部材６は、下面と一側面が解放された箱型の上部材７と、上面と一側面が解放された箱型の下部材８と、上部材７と下部材８を所定間隔をおいて上下に連結する左右一対の連結フレーム９，９から構成される。連結フレーム９には所定間隔（例えば１００ｍｍ間隔）でボルト孔５が形成されている。上部材７と下部材８の間には、テレビ２に接続される第１機器としてのビデオプレーヤが縦置きの姿勢で保持される。また、下部材８の開放側面には、上部材７と下部材８の間に保持されたビデオプレーヤの落下を防止するストッパ１０が設けられている。ストッパ１０は板ばね状の部材であり、下部材８の開放された側面に沿って回動可能となるように下部材８に取り付けられている。そして、上部材７と下部材８の間にビデオプレーヤを挿入する際には、下部材８の開放側面から離れた位置に退避させ、上部材７と下部材８の間にビデオプレーヤを挿入した後に回動させて下部材８の開放側面に設置し、ビデオプレーヤの抜け止めとする。
【００２３】
図１（ｃ）は、補助設置部材１１である。補助設置部材１１は、溝形鋼 (チャンネル）のような形状であり、溝を上方に開放した姿勢で第１設置部材６の上部材７の上面にボルト等で取り付けられる。そして、その溝の中に、任意の機器、例えばビデオプレーヤの記憶容量を補助する外部記憶手段としてのハードディスク等を設置することができる。
【００２４】
図２に示すように、本実施形態におけるテレビ２の背面のねじ孔３は、規格の一例として、上下左右に４００ｍｍ間隔で４個が設けられているものとする。このようなねじ孔３を有するテレビ２の背面に、図１に示した各部品を取り付けた状態を図３及び図４で説明する。
【００２５】
まず、図３に示すように、第１設置部材６の上部材７の上面に、補助設置部材１１を固定する。そして、２本の主フレーム４，４を上下方向に所定間隔をおいて互いに水平に配置した状態とし、その各一端側に第１設置部材６の一方の連結フレーム９の上端及び下端を固定して一体化する。図３では、一体化された主フレーム４，４及び第１設置部材６をテレビ２の背面に重ねて表しているが、これは、主フレーム４，４及び第１設置部材６を一体に連結した後、テレビ２の背面のねじ孔３と、主フレーム４のボルト孔５が適当な位置で重なるように位置決めした状態である。
【００２６】
次に、図４に示すように、第１設置部材６に連結された取付部の主フレーム４，４を、取付部を構成する他の部品である取付ボルト１３及び補強スリーブ１４により、テレビ２の背面のねじ孔３に固定し、取付部を構成する。すなわち、図５に示すように、テレビ２を壁に取り付ける取付部は、主フレーム４と、係止フレーム１２と、取付ボルト１３と、補強スリーブ１４によって構成される。
【００２７】
図５及び図６に示すように、係止フレーム１２は、溝形鋼 (チャンネル）のような形状であり、その中央のウェブ１２ａには２個の長孔１５と複数のボルト孔５が並んで形成されており、係止フレーム１２のウェブ１２ａの両側にあるフランジ１２ｂにはかぎ状の係止部１６がそれぞれ２個ずつ突出して設けられている。取付ボルト１３は、係止フレーム１２の長孔１５又はボルト孔５と、補強スリーブ１４と、主フレーム４のボルト孔５を挿通し、テレビ２の背面のねじ孔３にねじ込まれる。
【００２８】
図５及び図６に示すように、補強スリーブ１４は、係止フレーム１２と主フレーム４の間に配置されて取付ボルト１３が貫通する管状部材であり、取付ボルト１３のねじ孔３へのねじ込みによって、係止フレーム１２と主フレーム４の間に挟まれて保持される。補強スリーブ１４の両方の端部１７は径が太くなっており、中央部の断面よりも広い面積で係止フレーム１２と主フレーム４に安定的に接している。従って、後述するように、テレビ２を壁に掛けた際に取付部に力が加わっても、取付ボルト１３と補強スリーブ１４が座屈することはない。
【００２９】
図３に示したように、第１設置部材６と一体化された主フレーム４をテレビ２の背面に重ね、主フレーム４の略中央をテレビ２の幅方向に中央に一致させ、第１設置部材６がテレビ２の外縁部の近傍にくるように配置する。また、テレビ２の背面のねじ孔３と、主フレーム４のボルト孔５が適当な位置で重なるように位置決めする。そして、図４及び図６に示すように、２本の主フレーム４，４を、係止フレーム１２の溝を前面側（テレビ２の背面と反対側）に向けた姿勢で、主フレーム４に直交するように互いに平行に配置し、主フレーム４と係止フレーム１２の間には補強スリーブ１４を配置する。そして、取付ボルト１３を、係止フレーム１２の長孔１５又はボルト孔５と、補強スリーブ１４と、主フレーム４のボルト孔５に挿通させてテレビ２のねじ孔３にねじ込む。これにより、第１設置部材６と補助設置部材１１が固定された主フレーム４及び係止フレーム１２がテレビ２の背面に取り付けられ、取付部が構成される。
【００３０】
図５に示すように、この取付部によれば、係止フレーム１２は、主フレーム４の厚さと、補強スリーブ１４の長さの分だけ、テレビ２の背面から離れて配置されることになる。すなわち、係止フレーム１２の係止部１６を壁の係止具２０に係止させて壁掛けテレビとした状態では、テレビ２の背面と壁の間には、所定の寸法の隙間が設けられた状態になる。図６に示すように、実施形態では、主フレーム４には第１設置部材６が固定されているが、この第１設置部材６の厚さ（壁に対して垂直な方向の寸法）は、補強スリーブ１４の長さよりは大きいが、補強スリーブ１４の長さにフランジ１２ｂの高さを加えた寸法よりは小さい。従って、この壁掛け装置１において、テレビ２の背面から最も突出した位置にある部品は取付部の係止フレーム１２であり、第１設置部材６及び補助設置部材１１は係止フレーム１２よりもテレビ２側に引っ込んだ位置にある。
【００３１】
図７は、図２及び図４の例とは異なるピッチでねじ孔３が設けられたテレビ２の背面に、本実施形態の壁掛け装置１を取りつけた状態を示す背面図である。図７のテレビ２の背面のねじ孔３は、図２の４００ｍｍピッチの例とは異なり、上下左右に２００ｍｍ間隔で４個が設けられている。このようなねじ孔３に対応するため、一対の主フレーム４，４の各一端部が、第１設置部材６と結合される位置を図４の位置から変更し、主フレーム４に係止フレーム１２，１２を交差させて重ねる位置も図４の位置から変更している。
【００３２】
実施形態の壁掛け装置１によってテレビ２を壁に掛け、ビデオプレーヤ等を設置した状態について説明する。
図８は、壁１９に取りつけられた係止具２０の正面図であり、図９には、壁１９の表面に取り付けられた係止具２０の側面が表れている。この係止具２０は、正面視で横長矩形の板材であり、その上辺と下辺には、前方に突出した後、上方に折り曲げられてなるフランジ部２１が設けられている。
【００３３】
なお、この係止具２０を壁１９に取り付ける構造については特に限定しない。例えば、石膏ボード等のように比較的強度が小さい壁１９であれば、壁１９の裏側に補強用下地材を設け、表面に係止具２０を設け、壁１９を貫通するボルト等で補強用下地材と係止具２０を連結して両者で壁１９を挟み、壁１９を補強しつつ、壁１９の表面に係止具２０を取り付ける構造及び工法を採用することもできるし、その他の補強工法でもよい。また壁１９に所定の強度があれば、係止具２０を壁１９に直接固定する構造でもよい。また、ここで「壁１９」とは、建築物の外壁や内部の間仕切り等の構造体を意味するだけでなく、少なくとも電子装置を取り付ける対象となるような大きさの面をもつ物体であれば、その用途、機能等は問わない。
【００３４】
図９に示すように、テレビ２の背面に取り付けた壁掛け装置１でテレビ２を係止具２０に引掛け、壁１９に取り付ける。すなわち、係止フレーム１２の上側の左右一対の係止部１６を、係止具２０の上側のフランジ２１に係止させ、係止フレーム１２の下側の左右一対の係止部１６を、係止具２０の下側のフランジ２１に係止させる。これにより、テレビ２は、壁１９との間に所定寸法の隙間を設けた状態で、かつ壁１９と平行な状態で、壁１９に取り付けられる。
【００３５】
図１０及び図１１に示すように、第１設置部材６に第１機器としてのビデオプレーヤ２５を設置する。このビデオプレーヤ２５は、箱型の本体２６と、本体２６に出入自在に設けられたトレイ２７と、本体２６内に設けられ、本体２６内に引き込まれたトレイ２７に設置された光ディスク２８を駆動して情報を非接触で読み取るディスクドライブ２９とを備えた光ディスク読み取り装置であり、テレビ２に接続されて使用される。また、図示はしないが、このビデオプレーヤ２５はハードディスクを内蔵しており、相当量の画像を任意に記憶し、また消去することができる。また、このビデオプレーヤ２５はリモコン等から送られる制御信号を受信する第１受信部を有しており、遠隔的に操作できるようになっている。なお、このビデオプレーヤ２５は、通常、平置きで使用されるが、本実施形態では、テレビ２と壁１９の間の隙間を利用し、トレイ２７の出入り口がテレビ２の外縁部の近傍に向くような縦置きの姿勢で第１設置部材６に設置する。
【００３６】
図１０及び図１１に示すように、補助設置部材１１に補助機器としてのハードディスク３０を設置する。このハードディスク３０は、ビデオプレーヤ２５に接続され、ビデオプレーヤ２５の記憶容量を補完する外部増設記憶手段として使用される。
【００３７】
図１０及び図１１に示すように、壁１９に取り付けたテレビ２と壁１９との間にビデオプレーヤ２５及びハードディスク３０が配置されるため、テレビ２と、ビデオプレーヤ２５と、ハードディスク３０を結ぶ配線は単に各装置を直接接続するように配すればよく、比較的短い配線で済み、取り回しは容易である。また、配線はすべてテレビ２の背面と壁１９の間に納まるのでテレビ２の前面側から見えることはなく、美観の点で優れている。
【００３８】
図１０及び図１１に示すように、この壁掛け装置１は、テレビ２の裏側に配置されたビデオプレーヤ２５をリモコンで操作するために、信号伝達手段としての赤外線リレー装置３５を有している。ビデオプレーヤ２５は、テレビ２の裏側にある第１設置部材６に設置されるため、その受信部もテレビ２の影に隠れる。このため、テレビ２の正面側にいるユーザーから送られる赤外線等の制御信号は、そのままではビデオプレーヤ２５の受信部に届かない。赤外線リレー装置３５は、リモコンから送られる赤外線の制御信号を受信し、ビデオプレーヤ２５の受信部に中継する装置である。
【００３９】
図１０〜図１２に示すように、赤外線リレー装置３５は、テレビ２の前方からリモコンによって送られる制御信号Ｓ１を受信できるように、第２受信部としての赤外線受光部３６を備えている。この赤外線受光部３６はテレビ２の上面に前向きで設置されている。図１２に示すように、赤外線受光部３６は、電源３７と、赤外線受光素子３８と、信号増幅器３９を備えている。赤外線受光部３６の信号増幅器３９は、制御信号の信号線４０の一端に接続されており、信号線４０の他端は、送信部としての赤外線発光部４１に接続されている。赤外線発光部４１は、テレビ２の裏側に配置されたビデオプレーヤ２５の第１受信部と対面する位置に設置されており、信号線４０の他端が接続された駆動回路４２と、駆動回路４２に接続された赤外線発光素子４３を有している。赤外線発光素子４３から出た赤外線の制御信号Ｓ２は、ビデオプレーヤ２５の図示しない第１受信部により受信され、ビデオプレーヤ２５を制御する。
【００４０】
なお、この赤外線リレー装置３５では、赤外線受光部３６と赤外線発光部４１が信号線４０で接続されているが、無線で接続してもよい。また、赤外線受光素子３８や赤外線発光素子４３を用いず、光ファイバー、反射鏡、レンズ等の光学素子を適宜利用して赤外線をテレビ２の前面側からビデオプレーヤ２５の第１受信部に導く構成としてもよい。さらに、制御信号が赤外線以外の電磁波である場合は、その種類に合わせた信号伝達手段を用いるものとする。
【００４１】
以上説明した構成において、ビデオプレーヤ２５を操作する場合を説明する。
テレビ２の前面側に居るユーザーが、リモコンから赤外線の制御信号Ｓ１を送信する。この赤外線の制御信号Ｓ１は、赤外線受光部３６の赤外線受光素子３８に受信され、電気信号に変換されて出力される。この電気信号は信号増幅器３９で増幅され、信号線４０を介して赤外線発光部４１に送られる。赤外線発光部４１の赤外線発光素子４３は駆動回路４２が出力する電気信号により駆動されて赤外線の制御信号Ｓ２を出力する。この赤外線の制御信号Ｓ２がビデオプレーヤ２５の第１受信部に受信され、ビデオプレーヤ２５を制御する。
【００４２】
次に、本実施形態におけるビデオプレーヤ２５の構成についてさらに説明する。
図１１に示し、先にも説明したように、本実施形態では、通常、平置きで使用される市販のビデオプレーヤ２５を、テレビ２と壁１９の間の隙間を利用し、縦置きの姿勢で第１設置部材６に設置している。その際、ビデオプレーヤ２５は、トレイ２７の出入り口がテレビ２の外縁部の近傍に位置するような向きに設置する。このため、何らの手段も講じない場合には、トレイ２７を引き出した場合に光ディスク２８がトレイ２７から落下してしまう場合がある。
【００４３】
ところが、本実施形態では、トレイ２７を本体２６の外に引き出しても光ディスク２８が落下しないように特殊な構成を備えている。このビデオプレーヤ２５の構造を、図１３及び図１４を参照して説明する。ビデオプレーヤ２５の本体２６には、光ディスク２８を設置するトレイ２７が本体２６に対して出入自在に設けられている。ビデオプレーヤ２５を縦置きにした場合、このトレイ２７は鉛直面に平行となる。鉛直面と平行なトレイ２７の表面４５には、光ディスク２８を設置する円形の凹部４６が設けられている。凹部４６の底面４７は光ディスク２８の直径に略等しい内径とされており、またトレイ２７の表面４５に形成されている凹部４６の開口４８は光ディスク２８の直径よりもやや大きい内径とされており、底面４７と開口４８はテーパー状の周縁部４９で連続している。また、トレイ２７の中央及びトレイ２７の本体２６側には、切欠き５０が形成されている。図１４に示すように、光ディスク２８を載せたトレイ２７が本体２６内に引き込まれると、ディスクドライブ２９が移動して光ディスク２８を軸方向に移動させ、他部材２９ａとの間に光ディスク２８を挟んで回転駆動できるように構成されている。
【００４４】
図１３及び図１４に示すように、このトレイ２７の表面４５、すなわち凹部４６の開口４８側の面には、トレイ２７を本体２６の外に引き出した際に、トレイ２７に設置された光ディスク２８が落下するのを防止するディスク係止部５１が設けられている。ディスク係止部５１は、トレイ２７の表面４５に貼られた樹脂製のシート材５２の一部分である。シート材５２は、図１３において、トレイ２７の矩形の外形から、凹部４６の円形の開口４８及び開口４８に連続する切欠き５０の部分を除いた形状であり、前記ディスク係止部５１は円形の開口４８の内側に突出して設けられている。ディスク係止部５１は、図１３に示すように、円形の開口４８の周に沿って９０度間隔で４カ所に設けられており、図１４に示すように、その自由端部は凹部４６の開口４８が設けられたトレイ２７の表面４５よりもやや上方に立ち上げられている。
【００４５】
なお、このようなディスク係止部５１を有するシート材５２は、市販されている横置き用のビデオプレーヤ２５のトレイ２７に後付けで貼付することができる。その際、ビデオプレーヤ２５の製造会社、機種、準拠規格等によってトレイ２７の凹部４６や切欠き５０の形状・寸法が異なる場合があり、その差異に対応した寸法・形状のシート材５２を予め準備しておくことが望ましい。
【００４６】
以上説明したビデオプレーヤ２５の使用方法を説明する。
図１３に示すように、縦置きにしたビデオプレーヤ２５のトレイ２７を引出し、トレイ２７の凹部４６に光ディスク２８を設置する。トレイ２７の凹部４６の底面４７は光ディスク２８とほぼ同じ直径であるが、開口４８は光ディスク２８よりもやや大きいので、ディスク係止部５１が開口４８の内方に突出していても、光ディスク２８を開口４８から凹部４６内に支障なく設置することができる。図示しないリモコン等を操作してビデオプレーヤ２５を駆動し、トレイ２７を本体２６内に収納する。図１４に示すように、凹部４６内に設置されたディスクドライブ２９の駆動部２９ａが光ディスク２８の軸方向に移動し、光ディスク２８を中心孔２８ａで保持してさらに軸方向に移動させ、ディスクドライブ２９の固定部材２９ｂとの間に光ディスク２８を保持する。このとき、光ディスク２８はトレイ２７の開口４８から一部が突出した位置にあるが、ディスク係止部５１には接していない。ここで、ディスクドライブ２９の駆動部２９ａが光ディスク２８を駆動して回転させ、図示しない読み取り部が回転する光ディスク２８に対して非接触で読み書きを行う。光ディスク２８を取り出すには、図示しないリモコン等を操作してビデオプレーヤ２５を駆動し、トレイ２７を本体２６内から外に引き出す。トレイ２７の凹部４６内にある光ディスク２８は、凹部４６内で移動したとしても、凹部４６の開口４８の内側に突出したディスク係止部５１に引っ掛かるので、トレイ２７外に落下することはない。
【００４７】
次に、図１５〜図１８を参照して実施形態の他の構成例を説明する。この構成例は、前述した実施形態の壁掛け装置１において、第２機器であるスピーカー５５をテレビ２の下方に第２設置部材５６で設置するものである。
【００４８】
図１５に示すように、この第２設置部材５６は、左右一対で構成され、所定間隔で複数個のボルト孔５が形成された棒板状の設置フレーム５７と、設置フレーム５７の下端に連続して一体に形成されたクランク状の設置部５８とを有する。設置部５８は凹側が前面であり、左右の設置部５８の間に横長形状のスピーカー５５を横置きにする。
【００４９】
図１６は、第１設置部材６と、補助設置部材１１と、第２設置部材５６を含む壁掛け装置１をテレビ２の背面に取りつけた状態を示す背面図である。すなわち、図４に示すような壁掛け装置１を取り付けたテレビ２において、さらに第２設置部材５６を壁掛け装置１の主フレーム４に取り付けた状態を示している。
【００５０】
図１７及び図１８は、図１０及び図１１に示すような壁掛け装置１を取り付けたテレビ２において、さらに第２設置部材５６を壁掛け装置１の主フレーム４に取り付け、この第２設置部材５６にスピーカー５５を設置した状態をそれぞれ示すものである。このように、第２設置部材５６の設置部５８は、テレビ２の下方において、テレビ２と壁１９の間に位置しているので、この設置部５８に設置したスピーカー５５は正面側から見てテレビ２の正面よりも後方に配置されることとなる。
【００５１】
以上説明したように、本実施形態によれば、テレビ２を壁掛けタイプにする壁掛け装置１において、テレビ２と壁１９の間にビデオプレーヤ２５やハードディスク３０を設けたり、テレビ２と壁１９の隙間の下方にスピーカー５５を設ける等、壁掛けテレビ２の近傍の空間を機器類の設置に効率的に活用することにより、テレビ２及び機器類設置用の家具が不要になり、省スペースが実現できる。また、配線もすべてテレビ２と壁１９の間に集約することができ、テレビ周りの雑然さが完全に解消されて美観が向上するという壁掛けテレビの特徴を最大限に生かすことができる。
【００５２】
なお、以上説明した実施形態では、第１設置部材６及び第２設置部材５６を取付部の主フレーム４に連結したが、これらはテレビ２の背面に直接取り付けてもよいし、取付部又はテレビ２の背面に一方の設置部材を取付け、これに他方の設置部材を取り付けるものとしてもよい。
【００５３】
また、以上説明した実施形態はテレビ２を壁掛けタイプにするものであったが、本発明の壁掛け装置１が対象とする電子装置はテレビに限らない。例えば、コンピュータの表示入力装置を壁掛けタイプとし、コンピュータの本体を表示入力装置と壁の間の隙間に設置するものとしてもよい。また、病院における各種医療用機器には、モニターと制御用機器を備えるものがあるが、当該モニターを壁掛けタイプとし、モニターと壁の間の隙間に制御用機器を設置するものとしてもよい。さらに、壁に設置する電子装置は表示装置に限らず、本発明は、一般的に電子装置を壁に取付け、電子装置と壁の間に設けた隙間に機器を設置するために用いることができる。
【符号の説明】
【００５４】
１…壁掛け装置
２…電子機器としてのテレビ
３…テレビの背面に設けられたねじ孔
４…取付部を構成する主フレーム
６…第１設置部材
１１…補助設置部材
１２…取付部を構成する係止フレーム
１３…取付部を構成する取付ボルト
１４…取付部を構成する補強スリーブ
１９…壁
２０…係止具
２１…第１機器としてのビデオプレーヤ
２６…本体
２７…トレイ
２８…光ディスク
２９…ディスクドライブ
３０…補助機器としてのハードディスク
３５…信号伝達手段としての赤外線リレー装置
３６…第２受光部としての赤外線受光部
４０…信号線
４１…送信部としての赤外線発光部
５１…ディスク係止部
５２…ディスク係止部が設けられたシート材
５５…第２機器としてのスピーカー
５６…第２設置部材
【図１】
2016162763.tif 000003
【図２】
2016162763.tif 000004
【図３】
2016162763.tif 000005
【図４】
2016162763.tif 000006
【図５】
2016162763.tif 000007
【図６】
2016162763.tif 000008
【図７】
2016162763.tif 000009
【図８】
2016162763.tif 000010
【図９】
2016162763.tif 000011
【図１０】
2016162763.tif 000012
【図１１】
2016162763.tif 000013
【図１２】
2016162763.tif 000014
【図１３】
2016162763.tif 000015
【図１４】
2016162763.tif 000016
【図１５】
2016162763.tif 000017
【図１６】
2016162763.tif 000018
【図１７】
2016162763.tif 000019
【図１８】
2016162763.tif 000020